【手続補正書】
【提出日】平成17年1月21日(2005.1.21)
【手続補正１】
【補正対象書類名】特許請求の範囲
【補正対象項目名】全文
【補正方法】変更
【補正の内容】
【特許請求の範囲】
【請求項１】
観測される製品ネットワーク・トラフィックに基づいて出力ネットワーク・トラフィックを自動的に生成するためのシステムであって、
ネットワーク・トラフィックを取り込み、ネットワーク・トラフィック・データを編集するためのデータ・コレクターと、
前記ネットワーク・トラフィックおよび前記ネットワーク・トラフィック・データに基づいてネットワーク・トラフィック特性記述データを作成するための特性記述エンジンと、
前記ネットワーク・トラフィック特性記述データに基づいて、スクリプトを自動的にユーザーの介在なしで作成するためのスクリプト・ジェネレーターと、
前記スクリプトに基づいて、試験ネットワーク・トラフィックを生成するためのトラフィック・ジェネレーターと、を含むシステム。
【請求項２】
前記ネットワーク・トラフィック特性記述データが、統計指標、トラフィック・モデルおよびトラフィック・プロファイル・データを含み、
前記特性記述エンジンが、
前記ネットワーク・トラフィック・データに基づいて、前記統計指標を作成するための整列・統計エンジンと、
前記統計指標に基づいて、前記トラフィック・モデルを作成するためのモデル化エンジンと、
前記システムに格納された前記トラフィック・モデルおよびトラフィック・ミックス・プロファイルに基づいて前記トラフィック・プロファイル・データを生成するためのトラフィック・プロファイラと、を含んでいる、請求項１に記載のシステム。
【請求項３】
前記コレクターが、フィルターに基づいて前記ネットワーク・トラフィックをフィルターし、かつ統一された書式の要求仕様に基づいて前記ネットワーク・トラフィックを変換するように構成されている、請求項１に記載のシステム。
【請求項４】
前記フィルターが、ユーザーが設定したものおよびシステムが設定したもののうちの少なくとも一方である、請求項３に記載のシステム。
【請求項５】
前記特性記述エンジンが、前記ネットワーク・トラフィック・データと前記統計指標との好ましくない部分を削除するように構成されている、請求項１に記載のシステム。
【請求項６】
好ましくない部分を削除することが、個人識別情報、パスワード、銀行口座番号、およびクレジットカード情報のうちの少なくとも１つを削除することを含む、請求項５に記載のシステム。
【請求項７】
前記ネットワーク・トラフィック・データが、プロトコル分布データ、長さ分布データ、トランザクション分布データ、ヘッダー情報、およびペイロード・データのうちの少なくとも１つを含む、請求項１に記載のシステム。
【請求項８】
前記特性記述エンジンが、前記トラフィック・モデルをユーザーが編集できるようにするためのモデル微調整ユニットを含む、請求項２に記載のシステム。
【請求項９】
前記特性記述エンジンが、前記トラフィック・プロファイル・データをユーザーが編集できるようにするためのプロファイル編集ユニットを含む、請求項２に記載のシステム。
【請求項１０】
前記データ・コレクターが、前記システムがサポートする複数の通信プロトコルのそれぞれに対して、少なくとも１つのデータ収集ユニットを含む、請求項１に記載のシステム。
【請求項１１】
前記スクリプト・ジェネレーターが、前記システムがサポートする複数の通信プロトコルのそれぞれに対して、少なくとも１つのスクリプト作成ユニットを含む、請求項１に記載のシステム。
【請求項１２】
前記トラフィック・ジェネレーターが、前記システムがサポートする複数の通信プロトコルのそれぞれに対して、少なくとも１つのトラフィック生成ユニットを含む、請求項１に記載のシステム。
【請求項１３】
前記システムが、複数の通信プロトコルをサポートする、請求項１に記載のシステム。
【請求項１４】
前記複数の通信プロトコルには、少なくとも、イーサネット、ユーザ・データグラム・プロトコル（ＵＤＰ）、伝送制御プロトコル（ＴＣＰ）、およびハイパーテキスト転送プロトコル（ＨＴＴＰ）が含まれる、請求項１３に記載のシステム。
【請求項１５】
観測される製品ネットワーク・トラフィックに基づいて、出力ネットワーク・トラフィックを自動的に生成するためのシステムであって、
ネットワーク・トラフィックを取り込み、ネットワーク・トラフィック・データを編集するためのデータ・コレクターと、
前記ネットワーク・トラフィック・データに基づいて、統計指標を作成するための整列・統計エンジンと、
前記統計指標に基づいて、トラフィック・モデルを作成するためのモデル化エンジンと、
前記トラフィック・モデルおよび前記システムに格納されたトラフィック・ミックス・プロファイルに基づいて、トラフィック・プロファイル・データを作成するためのトラフィック・プロファイラと、
前記トラフィック・プロファイル・データに基づいて、スクリプトを自動的にユーザーの介在なしで作成するためのスクリプト・ジェネレーターと、
前記スクリプトに基づいて、試験ネットワーク・トラフィックを生成するためのトラフィック・ジェネレーターと、を含むシステム。
【請求項１６】
前記データ・コレクターが、フィルターに基づいて前記ネットワーク・トラフィックをフィルターし、かつ統一された書式の要求仕様に基づいて前記ネットワーク・トラフィックを変換するように構成されている、請求項１５に記載のシステム。
【請求項１７】
前記モデル化エンジンが、前記ネットワーク・トラフィック・データと前記統計指標との好ましくない部分を削除するように構成されている、請求項１５に記載のシステム。
【請求項１８】
好ましくない部分を削除することが、個人識別情報、パスワード、銀行口座番号、およびクレジットカード情報のうちの少なくとも１つを削除することを含む、請求項１５に記載のシステム。
【請求項１９】
前記ネットワーク・トラフィック・データが、プロトコル分布データ、長さ分布データ、トランザクション分布データ、ヘッダー情報、およびペイロード・データのうちの少なくとも１つを含む、請求項１５に記載のシステム。
【請求項２０】
前記モデル化エンジンが、前記トラフィック・モデルをユーザーが編集できるようにするためのモデル微調整ユニットを含む、請求項１５に記載のシステム。
【請求項２１】
観測される製品ネットワーク・トラフィックに基づいて出力ネットワーク・トラフィックを自動的に生成するための方法であって、
製品ネットワーク・トラフィックを取り込むステップと、
前記ネットワーク・トラフィックに基づいてネットワーク・トラフィック・データを編集するステップと、
前記ネットワーク・トラフィックおよび前記ネットワーク・トラフィック・データに基づいて、ネットワーク・トラフィック特性記述データを作成するステップと、
前記ネットワーク・トラフィック特性記述データに基づいてスクリプトを自動的に作成するステップと、
前記スクリプトに基づいて試験ネットワーク・トラフィックを生成するステップと、を含む方法。
【請求項２２】
前記ネットワーク・トラフィック特性記述データが、統計指標、トラフィック・モデルおよびトラフィック・プロファイル・データを含み、
ネットワーク・トラフィック特性記述データを作成するステップが、
前記ネットワーク・トラフィック・データに基づいて前記統計指標を作成するステップと、
前記統計指標に基づいて前記トラフィック・モデルを作成するステップと、
前記トラフィック・モデルとシステムが用意するトラフィック・ミックス・プロファイルとに基づいて前記トラフィック・プロファイル・データを作成するステップと、を含む、請求項２１に記載の方法。
【請求項２３】
前記ネットワーク・トラフィックを取り込むステップが、フィルターに基づいて前記ネットワーク・トラフィックをフィルターするステップを含み、
前記ネットワーク・トラフィック・データを編集するステップが、統一された書式の要求仕様に基づいて前記ネットワーク・トラフィックを変換するステップを含む、請求項２１に記載の方法。
【請求項２４】
製品ネットワーク・トラフィックに基づいて出力ネットワーク・トラフィック・スクリプトを自動的に作成するためのシステムであって、
前記製品ネットワーク・トラフィックに基づいてネットワーク・トラフィック・データを受信するためのコレクターと、
前記ネットワーク・トラフィック・データに基づいてネットワーク・トラフィック特性記述を作成するための特性記述エンジンと、
前記ネットワーク・トラフィック特性記述に基づいて、スクリプトを自動的にユーザーの介在なしで作成するためのスクリプト・ジェネレーターと、を含むシステム。
【請求項２５】
前記ネットワーク・トラフィック特性記述が、統計指標、トラフィック・モデルおよびトラフィック・プロファイル・データを含み、
前記特性記述エンジンが、
前記ネットワーク・トラフィック・データに基づいて、前記統計指標を作成するための整列・統計エンジンと、
前記統計指標に基づいて、前記トラフィック・モデルを作成するためのモデル化エンジンと、
前記システムに格納された前記トラフィック・モデルおよびトラフィック・ミックス・プロファイルに基づいて前記トラフィック・プロファイル・データを生成するためのトラフィック・プロファイラと、を含んでいる、請求項２４に記載のシステム。
【請求項２６】
前記データ・コレクターが、前記システムがサポートする複数の通信プロトコルのそれぞれに対して、少なくとも１つのデータ収集ユニットを含む、請求項２４に記載のシステム。
【請求項２７】
前記コレクターが、ネットワーク・トラフィックを取り込み、該取り込まれたネットワーク・トラフィックに基づいて追加のネットワーク・トラフィック・データを編集するように構成されている、請求項２４に記載のシステム。